(57)【要約】【課題】運用に応じてミックス回路を有効に活用することのできる音声調整卓を提供する。【解決手段】音声調整卓は、音源からの音声信号が入力される複数の入力部１０と、入力された複数の音声信号をミキシングして１つの音声信号を出力する複数のミックス回路３０と、音声信号をバス出力する複数の出力部２０と、複数の入力部１０及び複数の出力部２０と接続されるとともに、複数のスイッチが設けられ、入力部１０及びミックス回路３０からの音声信号の入力を切換可能で、ミックス回路３０及び出力部２０への音声信号の出力を切換可能に構成されたマトリックス回路４０と、を備える。【選択図】図１
2015213246.tif 000002
【特許請求の範囲】
【請求項１】
音源からの音声信号が入力される複数の入力部と、
入力された複数の音声信号をミキシングして１つの音声信号を出力する複数のミックス回路と、
音声信号をバス出力する複数の出力部と、
複数のスイッチが設けられ、前記入力部及び前記ミックス回路からの音声信号の入力を切換可能で、前記ミックス回路及び前記出力部への音声信号の出力を切換可能に構成されたマトリックス回路と、
を備えることを特徴とする音声調整卓。
【請求項２】
前記マトリックス回路は、前記ミックス回路から出力された音声信号をバス出力として複数の前記出力部に分配することを特徴とする請求項１に記載の音声調整卓。
【請求項３】
前記スイッチのＯＮ／ＯＦＦの切り換えを制御する制御部と、
運用毎に各前記スイッチのＯＮ／ＯＦＦ情報を記録した記録部と、
を備え、
前記制御部は、前記記録部の前記運用のＯＮ／ＯＦＦ情報に基づいて前記スイッチを切り替えることを特徴とする請求項１又は請求項２に記載の音声調整卓。
【請求項４】
請求項１〜３の何れかに記載の音声調整卓を複数台カスケード接続したことを特徴とする音声調整卓。
【発明の詳細な説明】
【技術分野】
【０００１】
本発明は、ミックス回路を有効活用する音声調整卓に関する。
【背景技術】
【０００２】
ラジオやテレビジョン等の放送スタジオや、音楽の録音スタジオ、劇場などには音声調整卓が使用されている。音声調整卓には、マイクロフォンやＶＴＲ（Ｖｉｄｏ  Ｔａｐｅ  Ｒｅｃｏｒｄｅｒ）等の複数の音源が音声回線を通じて接続される。音声調整卓は、音声回線を通じて入力された音源からの出力信号に対して、音量及び音質の音声調整を行い、その調整された各音声信号をミキシングして出力する。
【０００３】
このような従来の音声調整卓の構成を図６に示す。図６に示すように、従来の音声調整卓は、複数のミックス回路ブロック１０１を有している。各ミックス回路ブロック１０１は、２つの入力音声信号をミキシングし、一つの音声信号を出力するミックス回路１３０を複数有している。各ミックス回路１３０は、図６に示すように、２入力１出力となるように他のミックス回路１３０と接続されている。各ミックス回路ブロック１０１には、入力部１１０を介して入力された音声信号に対応してスイッチ１４０がそれぞれ配置されており、スイッチ１４０のＯＮ／ＯＦＦによりミックス回路１３０に入力される音声信号が選択されるようになっている。
【０００４】
例えば、図６の最上のミックス回路ブロック１０１では、入力１及び入力２に対するスイッチ１４０がＯＮにされ、入力３及び入力４に対するスイッチ１４０がＯＦＦになっている。そのため、このミックス回路ブロック１０１から出力される音声信号は、入力１及び入力２の音声信号をミキシングしたものとなる。
【０００５】
このように各ミックス回路ブロック１０１は、内部のミックス回路１３０によって入力された音声信号がミキシングされ、一つの信号系統に纏めてバス出力する。図６ではミックス回路ブロック１０１が４つ設けられているので、４つの出力部１２０からバス出力される。各バス出力は、例えば、放送、スタジオ、中継先など、運用によって出力先が設定されている。
【０００６】
また、信号処理回路をシンプルに構成するため、ミックス回路ブロック１０１は一つの入力音声信号を全バス出力へアサイン（割り当て）可能に構成されている。例えば、図６の最上のミックス回路ブロック１０１には、入力１〜４の音声信号が入力され、このミックス回路ブロック１０１によって各入力音声信号１〜４が他の３つのミックス回路ブロック１０１に送り込まれる。
【先行技術文献】
【特許文献】
【０００７】
【特許文献１】特開２０１３−２１６０５号公報
【特許文献２】特許第３２７１１２４号公報
【発明の概要】
【発明が解決しようとする課題】
【０００８】
音声調整卓は、実際の運用によって、各ミックス回路ブロック１０１内のスイッチ１４０のＯＮ／ＯＦＦにより、ミックス回路１３０へ送る入力音声信号をＯＮ／ＯＦＦしている。図７は、図６の音声調整卓の実際の運用状態を示すクロスポイント表である。クロスポイントとは、図６でいうとスイッチである。図６及び図７から明らかなように、図７の表の１６マスのうち黒丸が図６のスイッチＯＮを示し、空白が図６のスイッチＯＦＦを示している。
【０００９】
上記のように、従来の音声調整卓では、あるミックス回路ブロックに入力された一つの音声信号を、他のミックス回路ブロックにも送り込むようにして音声信号処理がなされる。すなわち、従来の音声調整卓では、図６の＊付のミックス回路１３０のように、ミックス回路１３０前段のスイッチ１４０がＯＦＦの場合であっても、このミックス回路１３０では無音（ミュート音声）をミキシングする処理が行われている。このため、実際の運用において必要のないミックス回路１３０でも絶えずミキシング処理が行われてしまい、無駄な電力消費が発生してしまう。
【００１０】
換言すれば、図６から明らかのように、ミックス回路１３０の全個数１２個のうち、実際にバス出力に寄与するミックス回路１３０はその全体個数の半分以下の５個である。このように従来の音声調整卓では、バス出力に寄与するミックス回路１３０は一部であり、全てのミックス回路１３０を有効に寄与するものではなかった。すなわち、ミックス回路１３０を複数有するにも関わらず、その全てのミックス回路１３０を有効に活用しきれず、不要なミックス回路１３０によるコストの増大や、無駄な電力消費が発生するという問題があった。
【００１１】
一方、従来、１台の音声調整卓で入出力の数が足りなくなった場合は、大型の音声調整卓を別途準備するか、２台の小型の音声調整卓をカスケード接続と呼ばれる方法で接続することにより対処することが一般的である。
【００１２】
２台の小型の音声調整卓をカスケード接続する場合、図８に示すように、１台あたり４つの入力があるため、入力を２倍の８つに増やすことができる。しかし、図８から明らかなように、一方の音声調整卓のミックス回路ブロック１０１から出力された音声信号は、他方の音声調整卓のミックス回路ブロック１０１から出力された音声信号とミキシングされる。このため、一方の音声調整卓のバス出力は、他方の音声調整卓のバス出力は同じになり、結果的に出力は４つのままで出力を増やすことができなかった。
【００１３】
本発明は、上記のような課題を解決するためになされたものであり、第１の目的は、運用に応じてミックス回路を有効に活用することのできる音声調整卓を提供することにある。第２の目的は、カスケード接続する場合であってもミックス回路を有効に活用することで入出力を増やすことのできる音声調整卓を提供することにある。
【課題を解決するための手段】
【００１４】
本発明の音声調整卓は、次の構成を備えることを特徴とする。
（１）音源からの音声信号が入力される複数の入力部。
（２）入力された複数の音声信号をミキシングして１つの音声信号を出力する複数のミックス回路。
（３）音声信号をバス出力する複数の出力部。
（４）複数のスイッチが設けられ、入力部及びミックス回路からの音声信号の入力を切換可能で、ミックス回路及び出力部への音声信号の出力を切換可能に構成されたマトリックス回路。
【００１５】
本発明の音声調整卓は、次の構成を備えるようにしても良い。
（５）マトリックス回路は、ミックス回路から出力された音声信号をバス出力として複数の出力部に分配する。
（６）スイッチのＯＮ／ＯＦＦの切り換えを制御する制御部と、運用毎に各スイッチのＯＮ／ＯＦＦ情報を記録した記録部と、を備え、制御部は、記録部の運用のＯＮ／ＯＦＦ情報に基づいてスイッチを切り替える。
【００１６】
また、前記の構成を有する音声調整卓をカスケード接続したものも本発明の一態様である。
【発明の効果】
【００１７】
本発明によれば、運用に応じてミックス回路を有効に活用することのできる音声調整卓を得ることができる。また、カスケード接続する場合であっても入出力を増やすことのできる音声調整卓を得ることができる。
【図面の簡単な説明】
【００１８】
【図１】第１の実施形態に係る音声調整卓の全体構成を示す図である。
【図２】第１の実施形態に係る音声調整卓の一例を示す図である。
【図３】第１の実施形態に係る音声調整卓の一例を示す図である。
【図４】第１の実施形態に係る音声調整卓の変形例の全体構成を示す図である。
【図５】第２の実施形態に係る音声調整卓の全体構成を示す図である。
【図６】従来の音声調整卓の全体構成を示す図である。
【図７】実際の音声調整卓の運用状態を示すクロスポイント表である。
【図８】従来の２台の音声調整卓をカスケード接続した場合の全体構成を示す図である。
【図９】従来の音声調整卓の全体構成を示す図である。
【発明を実施するための形態】
【００１９】
以下、図面を参照して、本発明の実施形態の音声調整卓について説明する。
【００２０】
［１．第１の実施形態］
［１−１．構成］
図１は、本実施形態に係る音声調整卓の全体構成を示す図である。本音声調整卓は、音源からの音声信号が入力される複数の入力部１０と、入力された複数の音声信号をミキシングし、１つの音声信号を出力する複数のミックス回路３０と、音声信号をバス出力する複数の出力部２０と、を備える。また、本音声調整卓は、複数のスイッチ（不図示）を含み構成され、複数のミックス回路３０の接続を運用毎に切り換えるマトリックス回路４０を備えている。
【００２１】
入力部１０は、マイクロフォンなどの音源と音声入力回線を通じて接続可能になっており、音声調整卓にはこの入力部１０を介して音声信号が入力される。入力部１０は、マトリックス回路４０と接続されており、入力部１０から入力された音声信号は、マトリックス回路４０を介してミックス回路３０へ出力される。
【００２２】
ミックス回路３０は、入力された２つの音声信号をミキシングし、１つの音声信号を出力する。図１に示すように、ミックス回路３０は、その入力側及び出力側がマトリックス回路４０と接続されている。
【００２３】
ここで、マトリックス回路４０の詳細構成について説明する。マトリックス回路４０は、複数のスイッチを含み構成され、入力部１０及びミックス回路３０からの音声信号の入力を切換可能で、ミックス回路３０及び出力部２０への音声信号の出力を切換可能に構成されている。
【００２４】
マトリックス回路４０は、マトリックススイッチャや、ルーティングスイッチャとも呼ばれ、例えば、直交するように縦横に複数の信号線を配置し、その交点となるクロスポイントにスイッチを配置して構成される。
【００２５】
例えば、図１のマトリックス回路４０は、３２×５６個のスイッチが配置される。図１のマトリックス回路４０の場合、８個の入力部１０からの入力と２４個のミックス回路３０からの入力があり、合計３２チャンネルの音声信号の入力が可能である。一方、出力としては、２入力を受け付ける２４個のミックス回路３０への４８チャンネルの出力と、８個の出力部２０への８チャンネルの出力とがあり、合計５６チャンネルの音声信号の出力が可能である。
【００２６】
すなわち、図１の場合、入力部１０及びミックス回路３０からマトリックス回路４０への入力パターンは３２通りあり、マトリックス回路４０からミックス回路３０及び出力部２０への出力パターンは５６通りある。このように、マトリックス回路４０は、複数の入力部１０、複数のミックス回路３０、及び複数の出力部２０と接続可能であり、運用に応じて各スイッチをＯＮ／ＯＦＦすることにより、入力部１０、ミックス回路３０、出力部２０との間の接続関係を構成し、運用に必要なミックス回路３０の構成を設定可能に構成されている。
【００２７】
例えば、マトリックス回路４０は、スイッチの切り換えにより、入力部１０から入力された音声信号を一つのミックス回路３０に送り出すか、或いは複数のミックス回路３０に分配する。
【００２８】
また、マトリックス回路４０は、スイッチの切り換えにより、ミックス回路３０から出力された音声信号を、出力部２０を通じてバス出力するか、或いは他のミックス回路３０に出力する。また、マトリックス回路４０は、ミックス回路３０から出力された音声信号を分配し、出力部２０からのバス出力と他のミックス回路３０への出力の両方を行っても良い。
【００２９】
マトリックス回路４０のスイッチの切り換えは、ユーザーが手動で切り換えても良いし、自動で切り換えるようにしても良い。自動で行う場合は、音声調整卓は、例えば、スイッチのＯＮ／ＯＦＦの切り換えを制御する制御部（不図示）と、運用毎に各スイッチのＯＮ／ＯＦＦ情報を記録した記録部（不図示）と、を備えるようにする。制御部が、記録部の運用のＯＮ／ＯＦＦ情報に基づいて各スイッチを切り替えることにより、手動で切り換える煩雑さを回避することができる。また、自動で行う場合は、制御部、記憶部の他に、さらにユーザーの運用選択を受け付ける選択受付部（不図示）を備えるようにしても良い。
【００３０】
出力部２０は、ミキシングされた音声信号を出力する。出力部２０は、マトリックス回路４０と接続されている。マトリックス回路４０のスイッチの切り換えにより、入力部１０及びミックス回路３０と接続される。一方、出力部２０は、放送、スタジオ、中継先などの運用により設定された音声信号の出力先と接続可能になっており、本音声調整卓によりミキシングされた音声信号は出力部２０を介して外部に出力される。
【００３１】
［１−２．動作及び作用］
本実施形態の音声調整卓を例示しつつ、本実施形態の音声調整卓の動作を説明する。図２及び図３は、本実施形態の音声調整卓の一例の構成を示す。これらの音声調整卓は、１２個のミックス回路３０を有する４入力４出力の音声調整卓であり、図７の実際の運用状態のクロスポイント表に示す回路構成を有する。
【００３２】
すなわち、図２及び図３の音声調整卓は、図７の実際の運用状態に合わせて、マトリックス回路４０によってミックス回路３０の接続関係を構成したものである。図２の音声調整卓は、ミックス回路３０の出力側を他のミックス回路３０又は出力部２０に単純に接続した例である。図３の音声調整卓は、共通のミックス回路３０を共用するように効率化して接続した例である。以下では、複数のミックス回路３０をそれぞれ識別するために、図面に記載された番号で識別する場合がある。
【００３３】
なお、図６の従来の音声調整卓も図７の実際の運用状態に合わせて構成されたものであるため、図２、図３、図６の音声調整卓の各出力部からバス出力される音声信号はそれぞれ同じものである。
【００３４】
まず、図２の音声調整卓の動作について説明する。この音声調整卓には、入力１〜４の音声信号が各入力部１０を介してマトリックス回路４０に入力され、マトリックス回路４０で接続されたミックス回路３０によってミキシングされ、４つのバス出力として出力部２０から出力される。
【００３５】
具体的には、図２に示すように、入力１及び入力２の音声信号は、共にミックス回路１〜３に分配される。ミックス回路１及び２では、入力１及び入力２の音声信号をミキシングし、１つの音声信号としてそれぞれバス出力１及び２の各出力部２０に出力する。ミックス回路３は、マトリックス回路４０によってミックス回路４と接続されており、入力１及び入力２の音声信号をミキシングし、１つの音声信号としてミックス回路４に出力する。
【００３６】
入力３の音声信号は、二手に分配される。すなわち、一方がバス出力３の出力部２０に出力され、他方がミックス回路４に送出される。ミックス回路４は、マトリックス回路４０によってミックス回路５と接続されており、ミックス回路４でミックス回路３から入力された音声信号と入力３の音声信号がミキシングされ、１つの音声信号としてミックス回路５に出力する。入力４の音声信号は、ミックス回路５に送出され、ミックス回路５は、ミックス回路４からの音声信号と入力４の音声信号をミキシングし、バス出力４の出力部２０に出力する。
【００３７】
以上のように、図２の例では、１２個のミックス回路のうち、信号処理に用いられるのは５個であり、残りの７個のミックス回路は未使用で休止している。マトリックス回路４０は運用に必要なミックス回路１〜５にのみ入力音声信号を送出する構成であるため、不要なミックス回路６〜１２を休止させることができる。これにより、従来の音声調整卓で行われていた不要な音声信号処理を行うことがなくなり、無駄な電力消費を抑えることができる。
【００３８】
次に、図３の音声調整卓の動作について説明する。この音声調整卓には、入力１〜４の音声信号が各入力部１０を介してマトリックス回路４０に入力され、マトリックス回路４０で接続されたミックス回路３０によってミキシングされ、４つのバス出力として出力部２０から出力される。
【００３９】
具体的には、図３に示すように、マトリックス回路４０に入力された入力１及び入力２の音声信号はミックス回路１に送出される。ミックス回路１では、入力１及び入力２の音声信号をミキシングし、１つの音声信号を出力する。ここでは、この音声信号はマトリックス回路４０によって３つに分配される。すなわち、２つはバス出力１及びバス出力２の出力部２０から出力され、残りの１つは、マトリックス回路４０によって接続されたミックス回路２に送出される。
【００４０】
入力３の音声信号は、二手に分配される。すなわち、一方がバス出力３の出力部２０から出力され、他方がミックス回路２に送出される。ミックス回路２は、マトリックス回路４０によってミックス回路３と接続されており、ミックス回路１からの音声信号と入力３の音声信号をミキシングし、１つの音声信号としてミックス回路３に出力する。入力４の音声信号は、ミックス回路３に送出され、ミックス回路３は、ミックス回路２からの音声信号と入力４の音声信号とをミキシングし、バス出力４の出力部２０から出力する。
【００４１】
以上のように、図３の例では、ミックス回路１と同じ処理をミックス回路２、３でも行う図２の例と異なり、ミックス回路１で生成した音声信号を分配するようにし、共通のミックス回路を共用するようにしている。そのため、１２個のミックス回路のうち、信号処理に用いられるのは３個であり、残りの９個のミックス回路は未使用で休止している。従って、図２の例よりもさらに、不要な音声信号処理を行うことがなくなり、無駄な電力消費を抑えることができる。
【００４２】
［１−３．効果］
（１）本実施形態の音声調整卓は、音源からの音声信号が入力される複数の入力部１０と、入力された複数の音声信号をミキシングして１つの音声信号を出力する複数のミックス回路３０と、音声信号をバス出力する複数の出力部２０と、複数のスイッチが設けられ、入力部１０及びミックス回路３０からの音声信号の入力を切換可能で、ミックス回路３０及び出力部２０への音声信号の出力を切換可能に構成されたマトリックス回路４０と、を備えるようにした。
【００４３】
これにより、運用毎に必要最小限の数のミックス回路３０でミキシングすることが可能であるので、不要な音声信号処理を行うことがなくなり、無駄な電力消費を抑えることができる。例えば、同じ８入力８バス出力の音声調整卓を作製するにしても、図９に示す５６個のミックス回路を有する従来の音声調整卓では、５６個全てのミックス回路でミキシングされるが、本実施形態によれば、図１に示すように、ミックス回路３０を２４個に減らすことができる。
【００４４】
また、図４に示すように、本実施形態によれば、従来の音声調整卓と同数のミックス回路を有する場合でも、マトリックス回路４０によって、ミックス回路３０から出力された音声信号が他のミックス回路３０又は出力部２０に分配されることにより、バス出力数を増やすことができる。従って、運用方法が定まっていない場合でも、ミックス回路３０の構成範囲内であれば、出力部２０を最大ミックス回路３０と同数まで増やすことができるので、この範囲でバス出力を自由に増減することができる。
【００４５】
（２）マトリックス回路４０は、ミックス回路３０から出力された音声信号をバス出力として複数の出力部２０に分配するようにした。これにより、バス出力毎に同一の音声ミキシングを行う場合には、ミックス回路３０の使用個数を減らすことができるので、ミックス回路３０の使用効率を向上させて更なる電力消費を抑えることができる。
【００４６】
（３）スイッチのＯＮ／ＯＦＦの切り換えを制御する制御部と、運用毎に各スイッチのＯＮ／ＯＦＦ情報を記録した記録部と、を備え、制御部は、記録部の運用のＯＮ／ＯＦＦ情報に基づいてスイッチを切り替えることにより、スイッチの切り換えの煩雑さを回避することができる。
【００４７】
［２．第２の実施形態］
第２の実施形態について、図５を用いて説明する。第２の実施形態は、第１の実施形態と基本構成は同じである。よって、第１の実施形態と異なる点のみを説明し、第１の実施形態と同じ部分については同じ符号を付して詳細な説明は省略する。
【００４８】
図５は、第２の実施形態に係る音声調整卓の全体構成を示すブロック図である。第１の実施形態と異なる点は、図５に示すように、第１の実施形態に係る音声調整卓であって、同一の構成を有する２台の音声調整卓がケーブル５０によりカスケード接続されている点である。
【００４９】
本実施形態では、音声調整卓Ａ及びＢのマトリックス回路４０Ａ、４０Ｂがケーブル５０を介して互いに接続されている。音声調整卓Ａ及びＢの構成は同一であるので、代表して音声調整卓Ａについて説明する。
【００５０】
音声調整卓Ａは、４つの入力部１０Ａ、１２個のミックス回路３０Ａ、４つの出力部２０Ａを備え、さらに、３２×５６個のスイッチを有するマトリックス回路４０Ａを備えている。
【００５１】
音声調整卓Ａのみを考えると、マトリックス回路４０Ａに入力される音声信号は、入力部１０Ａの４チャンネルと、ミックス回路３０Ａの１２チャンネルとを合わせて、合計１６チャンネルある。一方、マトリックス回路４０Ａから出力される音声信号は、１２個のミックス回路３０Ａへの２４チャンネルと、出力部２０Ａへの４チャンネルとを合わせて、合計２８チャンネルある。
【００５２】
音声調整卓Ａのみで音声信号をミキシングするだけであれば、マトリックス回路４０Ａは、１６×２８個のスイッチを有していればよいが、本実施形態の音声調整卓Ａのマトリックス回路４０Ａは、３２×５６個のスイッチを有しており、１台の中で信号処理する第１の実施形態のものよりスイッチ数が多い。すなわち、本実施形態では、マトリックス回路４０Ａのスイッチのうち、半分が入力部１０Ａ及びミックス回路３０Ａから入力されるものに用いられ、残りの半分が音声調整卓Ｂから入力されるものに用いられる。
【００５３】
換言すれば、音声調整卓Ａのマトリックス回路４０Ａには、入力部１０Ａ及びミックス回路３０Ａからの１６チャンネルの音声信号が入力され、この音声信号は、ケーブル５０を介して音声調整卓Ｂのマトリックス回路４０Ｂへ出力される。従って、音声調整卓Ｂのマトリックス回路４０Ｂには、自身の入力部１０Ｂ及びミックス回路３０Ｂからの入力１６チャンネルと、音声調整卓Ａのマトリックス回路４０Ａからの入力１６チャンネルを合わせた３２チャンネルの音声信号が入力される。逆の場合も同様で、音声調整卓Ａのマトリックス回路４０Ａには、自身の入力部１０Ａ及びミックス回路３０Ａからの入力１６チャンネルと、音声調整卓Ｂのマトリックス回路４０Ｂからの入力１６チャンネルを合わせた３２チャンネルの音声信号が入力される。
【００５４】
一方、音声調整卓Ａのマトリックス回路４０Ａから出力される２８チャンネルの音声信号は、ケーブル５０を介して音声調整卓Ｂのマトリックス回路４０Ｂにも出力される。従って、マトリックス回路４０Ｂも３２×５６個のスイッチを有するので、２台の音声調整卓Ａ及びＢのマトリックス回路４０Ａ、４０Ｂを合わせて５６チャンネルの音声信号が出力される。
【００５５】
図８に示す２台の従来の音声調整卓をカスケード接続した場合、前述の通り、入力の数は２倍に増やすことができるが、一方の音声調整卓のバス出力は他方の音声調整卓のバス出力がコピーされるだけでバス出力数を増やすことができなかった。これに対し、本実施形態によれば、各マトリックス回路４０Ａ、４０Ｂのそれぞれが２台分のスイッチを有し、２台の音声調整卓Ａ、Ｂ間でマトリックス接続されているので、入力数を２倍にすることができ、バス出力数も２倍に増やすことができる。
【００５６】
また、複数台（ｎ台）カスケード接続することにより、入力数及びバス出力数をそれぞれｎ倍に増やすことができる。従って、出先において持ち運びが容易な小型の音声調整卓を複数台用意しておけば、突然の予定変更などによる入出力数の増加にも対応することが可能になる。
【００５７】
また、第１の実施形態の音声調整卓は必要最小限のミックス回路数に抑え、装置規模を縮小することが可能なものであるため、入力数及びバス出力数は足りているものの、ミックス回路数が不足する場合も想定される。本実施形態によれば、このような場合であっても、複数台の音声調整卓をカスケード接続することにより、ミックス回路を接続先の音声調整卓から補うことが可能である。
【００５８】
［３．他の実施形態］
本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。以下は、その一例である。
【００５９】
（１）第１の実施形態では、ミキシングに寄与しない未使用のミックス回路３０は休止させていたが、このミックス回路３０を他の音声信号処理に用いても良い。これにより、音声調整卓の有する構成を最大限に活用することができる。
【００６０】
（２）第１の実施形態において、マトリックス回路４０が複数の入力部１０及び複数の出力部２０と接続されることの中には、入力部１０と出力部２０を直接接続することも含む。すなわち、ミックス回路３０を介さないので、入力部１０に入力された音声信号がそのまま出力部２０から出力される。
【符号の説明】
【００６１】
１０    入力部
２０    出力部
３０    ミックス回路
４０    マトリックス回路
５０    ケーブル
１０１  ミックス回路ブロック
１１０  入力部
１２０  出力部
１３０  ミックス回路
１４０  スイッチ
【図１】
2015213246.tif 000003
【図２】
2015213246.tif 000004
【図３】
2015213246.tif 000005
【図５】
2015213246.tif 000006
【図６】
2015213246.tif 000007
【図７】
2015213246.tif 000008
【図８】
2015213246.tif 000009
【図９】
2015213246.tif 000010
【図４】
2015213246.tif 000011